(57)【要約】【課題】パネルを全閉と全開の間で段階的に停止保持させることができると共に、全開に至る途中の停止状態から開く方向および閉じる方向の両方向にパネルを揺動させることができるようにしたパネルの開閉支持具を提供することである。【解決手段】開口枠Ａに取付けられる枠側プレート１に対してパネルＢに取付けられるガイドレール２をピン３で回動自在に連結する。ガイドレール２にピン３を中心とする円弧状の長孔６を設け、枠側プレート１に設けられた係合ピン７を長孔６に挿入する。ガイドレール２の内部にスライドピース８と、そのスライドピース８を係合ピン７に押し当てるスプリング１０とを組込む。スライドピース８の係合ピン７に当接する端面にほぼ半円形の複数の係合凹部１１を設け、その係合凹部１１の１つと係合ピン７の係合によってガイドレール２を揺動させた位置で停止させるようにする。【選択図】  図２
2005068792.tif 000002
【特許請求の範囲】
【請求項１】
開口枠に取付けられる枠側プレートと、前記開口枠の開口を開閉するパネルの外周に取付けられるガイドレールと、そのガイドレールと前記枠側プレートを相対的に回動自在に連結するピンとを有し、前記ガイドレールには前記ピンを中心とする円弧状の長孔を設け、前記枠側プレートには前記長孔からガイドレール内に挿入される係合ピンを突設し、前記ガイドレール内には、そのガイドレールの内周に沿ってスライド可能なスライドピースと、そのスライドピースを係合ピンに向けて押圧するスプリングとを組込み、前記スライドピースの係合ピンに当接する端面に、その係合ピンが係合可能な複数の係合凹部をスライドピースの幅方向に設けたパネル開閉支持具。
【請求項２】
前記ガイドレールの自由端における開口部にエンドキャップを係脱自在に取付けた請求項１に記載のパネル開閉支持具。
【請求項３】
前記エンドキャップを係脱自在とする手段が、そのエンドキャップに設けられてガイドレールの端部内に挿入可能とされ、先端部の両側に係合突起が形成された二股片と、ガイドレールの対向一対の側板に設けられて前記係合突起が係合される係合孔とから成る請求項２に記載のパネル開閉支持具。
【請求項４】
請求項２又は３に記載の一対のパネル開閉支持具における枠側プレートを開口枠の内周対向位置に取付け、その開口枠の開口を開閉するパネルの外周にガイドレールが挿入される一対の挿入溝を形成し、各挿入溝の閉塞端部内にエンドキャップを取付け、前記各挿入溝内に対するガイドレールの挿入によりそのガイドレールの端部にエンドキャップを係合させてパネルを仮り固定する状態でガイドレールをパネルに取付けたパネル建込み装置。
【発明の詳細な説明】
【技術分野】
【０００１】
この発明は、ドアの上部に設けられた欄間や換気口の障子を開閉自在に支持するパネル開閉支持具およびパネルの建込み装置に関するものである。
【背景技術】
【０００２】
玄関ドアの上部に設けられた欄間を開閉自在に支持し、その欄間を開放して屋内の換気を行なうことは従来から知られている。
【０００３】
上記のような欄間、あるいは換気口に設けられた障子（以下、欄間および障子を総称してパネルという）を開閉自在に支持する開閉支持具として、図７に示したものが従来から知られている。
【０００４】
上記開閉支持具は、ドア枠等の開口枠のたて枠に取付けられる枠側プレート２０とパネルの側面に取付けられるパネル側プレート２１の上端部をピン２２で回動自在に連結し、枠側プレート２０に設けられた案内溝２３内にスライダ２４をスライド自在に挿入し、そのスライダ２４とパネル側プレート２１の中途とをアーム２５で連結して、枠側プレート２０に対するパネル側プレート２１の揺動によってスライダ２４を案内溝２３に沿ってスライドさせるようにしている。
【０００５】
また、スライダ２４に形成された凹所２６内にピン２７を中心として揺動可能なピンアーム２８を組込み、そのピンアーム２８の揺動側端部（自由端部）に係合ピン２９を設け、枠側プレート２０には上記係合ピン２９の移動を案内してパネル側プレート２１の揺動量を制限するガイド孔３０を形成し、そのガイド孔３０の一側縁に複数の切欠部３１を間隔をおいて設け、その切欠部３１の一つと係合ピン２９の係合によって、パネル側プレート２１を所定角度揺動させた位置でパネル側プレート２１を仮止めするようにしている。
【０００６】
さらに、ガイド孔３０の上下端に同方向に傾斜する一対の傾斜ガイド孔３２、３３を形成し、パネル側プレート２１を枠側プレート２０に重なる位置まで揺動させたとき、上部の傾斜ガイド孔３２により係合ピン２９を案内してピンアーム２８をガイド孔３０の他側縁側に揺動させると共に、パネル側プレート２１を最大に揺動させたとき、下部の傾斜ガイド孔３３により係合ピン２９を案内してピンアーム２８をガイド孔３０の一側縁側に揺動させるようにしている。そして、ピンアーム２８がガイド孔３０の一側から他側に、あるいは、他側から一側に揺動するとき、その下方に設けられたボール３４を図示省略したスプリングの弾性に抗して押し下げ、上記スプリングの弾性により復帰するボール３４によって、ピンアーム２８をガイド孔３０の一側縁側又は他側縁ピンアーム２８をガイド孔３０の一側縁側又は他側縁側に揺動させた状態に保持するようにしている。
【０００７】
上記の構成から成る開閉支持具においては、開口枠のたて枠に枠側プレート２０を取付け、パネルの側面にパネル側プレート２１を取付けて、パネルの揺動による開閉量を制限し、そのパネルの開閉範囲内において、係合ピン２９と切欠部３１の係合によってパネルを段階的に係止保持させるようにしている。
【発明の開示】
【発明が解決しようとする課題】
【０００８】
ところで、上記従来の開閉支持具においては、係合ピン２９と一つの切欠部３１の係合によってパネルを全開に至る途中の段階で停止させた状態から閉じる方向に戻そうとした場合、パネルを全開位置まで揺動させ、ピンアーム２８をガイド孔３０の他側縁側に揺動させてから閉じる方向に揺動させる必要があり、開閉の操作性が悪いという問題があった。
【０００９】
また、開口枠にパネルを建て込む場合、パネルの両側にパネル側プレート２１を取付け、その取付け後に枠側プレート２０を開口枠に取付け、あるいは上記と逆に、枠側プレート２０を開口枠に取付け、その取付け後にパネル側プレート２１をパネルの両側に取付ける必要があり、欄間のように左右方向の寸法が大きいパネルの建て込みに際しては２人の作業者を必要とするという問題もあった。
【００１０】
さらに、パネルを閉鎖状態で停止保持させることができないため閉鎖状態での仮止め具を別途必要とし、部品点数が多くなってコストも高いという問題もあった。
【００１１】
この発明の第１の課題は、パネルを全閉と全開の間で段階的に停止させることができると共に、途中の停止状態から閉じる方向および開く方向の両方向にパネルを揺動させることができるようにした開閉操作性に優れたパネル開閉支持具を提供することである。
【００１２】
また、この発明の第２の課題は、パネルの建て込みを１人の作業者によって簡単に行なうことができるようにしたパネルの建込み装置を提供することである。
【課題を解決するための手段】
【００１３】
上記の第１の課題を解決するために、第１の発明に係るパネル開閉支持具においては、開口枠に取付けられる枠側プレートと、前記開口枠の開口を開閉するパネルの外周に取付けられるガイドレールと、そのガイドレールと前記枠側プレートを相対的に回動自在に連結するピンとを有し、前記ガイドレールには前記ピンを中心とする円弧状の長孔を設け、前記枠側プレートには前記長孔からガイドレール内に挿入される係合ピンを突設し、前記ガイドレール内には、そのガイドレールの内周に沿ってスライド可能なスライドピースと、そのスライドピースを係合ピンに向けて押圧するスプリングとを組込み、前記スライドピースの係合ピンに当接する端面に、その係合ピンが係合可能な複数の係合凹部をスライドピースの幅方向に設けた構成を採用したのである。
【００１４】
第１の発明に係るパネル開閉支持具において、前記ガイドレールの自由端における開口部にエンドキャップを係脱自在に取付けるようにしてもよい。エンドキャップを係脱自在とする手段として、エンドキャップに設けられてガイドレールの端部内に挿入可能とされ、先端部の両側に係合突起が形成された二股片と、ガイドレールの対向一対の側板に設けられて前記係合突起が係合される係合孔とから成るものを採用することができる。
【００１５】
第２の課題を解決するため、第２の発明に係るパネルの建込み装置においては、前記エンドキャップを有するパネル開閉支持具の枠側プレートを開口枠の内周対向位置に取付け、その開口枠の開口を開閉するパネルの外周にガイドレールが挿入される一対の挿入溝を形成し、各挿入溝の閉塞端部内にエンドキャップを取付け、前記各挿入溝内に対するガイドレールの挿入によりそのガイドレールの端部にエンドキャップを係合させてパネルを仮り固定する状態でガイドレールをパネルに取付けた構成を採用している。
【発明の効果】
【００１６】
第１の発明に係るパネル開閉支持具によれば、枠側プレートに設けられた係合ピンとスライドピースに設けられた係合凹部の係合によってガイドレールが取付けられるパネルを全閉と全開との間で段階的に停止保持することができると共に、その停止状態から開く方向および閉じる方向の両方向に揺動させることができるため、開閉操作性の向上を図ることができる。
【００１７】
第２の発明に係るパネルの建込み装置によれば、挿入溝内にガイドレールを挿入することによりガイドレールの端部にエンドキャップが係合し、その係合によってパネルを仮り固定することができるため、パネルの建込み作業を１人の作業者によって行なうことができると共に、パネル開閉支持具は開口枠側に先に取付けるため、パネルの重量は増加せず、パネル建込みの際のパネルの取扱いが容易であり、パネルを簡単に建込むことができる。
【発明を実施するための最良の形態】
【００１８】
図１乃至図３に示すように、この発明に係るパネルの開閉支持具は、図５に示す開口枠Ａの左右のたて枠ａ内面に取付ける枠側プレート１と、パネルＢの両側に取付けられるガイドレール２と、前記枠側プレート１にガイドレール２を回動自在に連結するピン３とを有している。
【００１９】
枠側プレート１には複数のねじ挿入孔４が形成され、各ねじ挿入孔４に挿入されるねじ５の締付けによって枠側プレート１はたて枠ａに取付けられる。
【００２０】
ガイドレール２は、枠側プレート１に一端部が連結される細長い板体部２ａの両側に一対の側板２ｂを設け、各側板２ｂの側縁から内向きにフランジ２ｃを設けたほぼ角形の筒状をなしている。
【００２１】
ガイドレール２の板体部２ａにはピン３を中心とする円弧状の長孔６が形成され、前記枠側プレート１に設けられた係合ピン７が上記長孔６からガイドレール２内に臨んでいる。
【００２２】
ガイドレール２の内部には、その内周面に沿ってスライド可能な合成樹脂製のスライドピース８と、そのスライドピース８と間隔をおいて設けられたばね座９とが組込まれている。ばね座９はガイドレール２に固定され、そのばね座９とスライドピース８間にスプリング１０が組込まれている。スプリング１０はスライドピース８を係合ピン７に向けて押圧している。
【００２３】
スライドピース８の前記係合ピン７に当接する端面には複数のほぼ半円形の係合凹部１１がスライドピース８の幅方向に連続して設けられ、前記係合ピン７に対する各係合凹部１１の係合によってガイドレール２は枠側プレート１に重なる閉鎖位置と、ガイドレール２を枠側プレート１に対して最大に揺動させた開放位置とで仮止めされると共に、閉鎖位置と開放位置の間でも段階的に仮止めされるようになっている。
【００２４】
ガイドレール２の自由端には合成樹脂から成るエンドキャップ１２が設けられている。エンドキャップ１２にはガイドレール２の端部内に抜き差し自在の二股片１３が設けられている。二股片１３の両側には係合突起１４が形成され、各係合突起１４の先端部にテーパ面１５が設けられている。
【００２５】
係合突起１４はガイドレール２の一対の側板２ｂの端部に形成された係合孔１６に対して係合可能とされ、その係合突起１４と係合孔１６の係合によってエンドキャップ１２は抜け止めされている。
【００２６】
エンドキャップ１２と前記ばね座９にはねじ挿入孔１７が形成され、各ねじ挿入孔１７に挿入されるねじの締付けによってパネルＢの側面にガイドレール２が取付けられる。
【００２７】
ここで、パネルＢの両側面にはパネルＢの上端面から下端に向く挿入溝ｂが形成され、その挿入溝ｂに対してガイドレール２が抜き差し自在とされている。
【００２８】
実施の形態で示すパネルの開閉支持具は上記の構造から成り、パネルＢの建て込みに際しては、図４に示すように、開口枠Ａの一対のたて枠ａ内面に枠側プレート１を固定する。
【００２９】
一方、ガイドレール２からエンドキャップ１２を取外し、そのエンドキャップ１２をねじ挿入孔１７に挿入されるねじの締付けによってパネルＢの両側に設けられた挿入溝ｂの閉塞端部内に取付ける。
【００３０】
枠側プレート１およびエンドキャップ１２の取付け後、ガイドレール２を枠側プレート１に対して揺動させる。このとき、係合ピン７に対する係合凹部１１の内面の接触によってスライドピース８がスプリング１０の弾性に抗して後退すると共に、係合ピン７に次の係合凹部１１が対向すると前進し、スライドピース８は後退と前進とを繰り返し、上記係合ピン７に対して係合凹部１１の一つが係合することによってガイドレール２は傾斜状態に保持される。
【００３１】
図４に示すように、ガイドレール２を最大に揺動させた傾斜状態において、そのガイドレール２の下方にパネルＢを配置し、そのパネルＢの側面に形成された挿入溝ｂ内にガイドレール２が挿入されるようにしてパネルＢを斜め上方に向けて移動させる。その移動によってガイドレール２のほぼ全体が挿入溝ｂ内に挿入されると、エンドキャップ１２の二股片１３に設けられたテーパ面１５とガイドレール２の開口端との接触により二股片１３が内方に弾性変形して、二股片１３がガイドレール２の端部内に侵入する。
【００３２】
二股片１３の係合突起１４が係合孔１６と対向する位置まで二股片１３が挿入されると、二股片１３の復元弾性により、係合孔１６に係合突起１４が係合し、その係合によってパネルＢが仮り固定される。
【００３３】
パネルＢの仮り固定後、ばね座９に設けられたねじ挿入孔１７にねじを挿入してパネルＢの建て込みが完了する。図５および図６はパネルＢの建て込み完了後の状態を示す。
【００３４】
上記のように、ガイドレール２が挿入溝ｂに挿入されるようにしてパネルＢを斜め上方に移動させることにより係合突起１４と係合孔１６の係合によってパネルＢを仮り固定することができるため、パネルＢの建て込みを１人の作業者によって行なうことができる。
【００３５】
上記のようにしてパネルＢを建て込むことにより、枠側プレート１にガイドレール２を連結したピン３を中心にしてパネルＢを開閉させることができる。
【００３６】
ここで、パネルＢを開閉させると、前記と同様に、係合ピン７に対する係合凹部１１の内面の接触によってスライドピース８が後退と前進を繰り返し、複数の係合凹部１１の一つが係合ピン７に係合することによってパネルＢは開放位置で仮止めされる。
【００３７】
パネルＢを仮止めする係合凹部１１は複数設けられているため、パネルＢは枠側プレート１にガイドレール２が重なる全閉位置と全開位置との間で段階的に仮止めすることができる。
【００３８】
また、パネルＢの仮止めは、係合ピン７と複数の係合凹部１１の一つの係合によるものであるため、パネルＢをその停止位置から閉じる方向および開く方向のいずれの方向にも揺動させることができる。
【００３９】
このため、従来のパネル開閉支持具のように、パネルを一旦全開位置まで揺動させたのち全閉位置に戻す必要がなくなり、パネルの開閉操作性の向上を図ることができる。
【００４０】
また、ガイドレールの端部からエンドキャップを取外し、そのエンドキャップをパネル側面に固定し、枠側プレートの固定後に、ガイドレールの開口端部内にエンドキャップを係合させることによってパネルを仮り固定することができるため、１人の作業者によってパネルの建て込みを行なうことができる。
【００４１】
実施の形態では、開口枠Ａのたて枠ａに枠側プレート１を取付けるようにしたが、開口枠Ａの上枠および下枠に枠側プレート１を取付けてパネルＢを垂直軸心まわりに開閉させるようにしてもよい。
【図面の簡単な説明】
【００４２】
【図１】この発明に係るパネル開閉支持具の実施形態を示す斜視図
【図２】図１の一部切欠側面図
【図３】ガイドレールを枠側プレートに重なる位置まで揺動させた状態の一部切欠側面図
【図４】パネルの建て込み途中の状態を示す側面図
【図５】パネルの建て込み状態を示す正面図
【図６】図５の縦断正面図
【図７】従来のパネル開閉支持具を示す側面図
【符号の説明】
【００４３】
Ａ  開口枠
ａ  たて枠
Ｂ  パネル
ｂ  挿入溝
１  枠側プレート
２  ガイドレール
３  ピン
６  長孔
７  係合ピン
８  スライドピース
１０  スプリング
１１  係合凹部
１２  エンドキャップ
１３  二股片
１４  係合突起
１６  係合孔
１７  ねじ挿入孔
【図１】
2005068792.tif 000003
【図２】
2005068792.tif 000004
【図３】
2005068792.tif 000005
【図４】
2005068792.tif 000006
【図５】
2005068792.tif 000007
【図６】
2005068792.tif 000008
【図７】
2005068792.tif 000009